(57)【要約】【課題】  安定した刃先位置精度およびクランプ性能が得られ、しかも切屑の詰まりなどにより操作性が損なわれることのないチップクランプ装置を提供する。【解決手段】  ホルダ１と、チップ取付座２の載置面５に載置された略四角形平板状のスローアウェイチップ３を押圧して固定するための押え金９と、この押え金９の上面および両側面を覆うように配設された押え金１０とを備え、押え金９および押え金１０には上方から下方に向かって連通する貫通口９ａ，１０ａが設けられ、この貫通口９ａ，１０ａには棒状の締付けねじ１２が挿入されているとともに、該締付けねじ１２の先端側がホルダ１に穿設されたねじ穴１ａに螺合され、さらに、隙間Ｃ１，Ｃ２を塞ぐための閉塞手段（２つの側壁７，７’）が設けられている。【選択図】  図１
2006192532.tif 000002
【特許請求の範囲】
【請求項１】
先端にチップ取付座を有するホルダと、前記チップ取付座に載置されたスローアウェイチップを押圧して固定するための押圧手段とを備えたチップクランプ装置において、
前記押圧手段が、下面の一部で前記スローアウェイチップの上面を押圧する第一押圧部材と、前記スローアウェイチップの略中央に設けられた穴の内側面を前記チップ取付座の側面方向に押圧するための突出部を有し、前記第一押圧部材の上面を覆うように配設された第二押圧部材とを備え、
前記第一押圧部材および第二押圧部材には上方から下方に向かって連通する貫通口が設けられ、該貫通口には棒状の締付け部材が挿入されるとともに、該締付け部材の先端側が前記ホルダに穿設された挿入口に、締付け部材の軸方向に移動可能な状態で固定されており、
前記スローアウェイチップの押圧固定時に、前記締付け部材が第二押圧部材の少なくとも一部に当接しながら挿入口側に移動することで第二押圧部材における前記当接部分に押圧力が作用して第二押圧部材が移動し、前記突出部がスローアウェイチップの穴の内側面をチップ取付座の側面方向に押圧するように構成するとともに、前記第二押圧部材の移動に伴って該第二押圧部材の下面が第一押圧部材の上面を押圧することで該第一押圧部材がスローアウェイチップの上面を押圧するように構成し、
さらに、前記スローアウェイチップが押圧固定された状態で前記第二押圧部材の側部と前記ホルダの上面及び／又は前記スローアウェイチップの上面との間に生じる隙間を塞ぐための閉塞手段を備えていることを特徴とするチップクランプ装置。
【請求項２】
前記閉塞手段が、前記第二押圧部材の両側方に位置し、前記ホルダの上面から上方に延設された２つの側壁である請求項１記載のチップクランプ装置。
【請求項３】
前記締付け部材が締付けねじであり、前記挿入口がねじ穴であり、該ねじ穴に前記締付けねじの先端側が螺合されており、
前記第二押圧部材の貫通口の上部には、口径が第二押圧部材の上面に向かって広がるテーパー部が形成され、前記締付けねじの頭部には、該締付けねじの軸部上端から前記頭部の上面に向かって広がるテーパー部が形成されており、
前記スローアウェイチップの押圧固定時には、前記締付けねじのテーパー部が前記第二押圧部材の貫通口のテーパー部に当接しながら前記締付けねじがねじ穴側に締付け移動することで、前記突出部がスローアウェイチップの穴の前記内側面をチップ取付座の側面方向に押圧する請求項１または２記載のチップクランプ装置。
【請求項４】
前記第一押圧部材および第二押圧部材に設けられた前記貫通口は、第二押圧部材の先端上方側から第一押圧部材の後端下方側に向かって傾斜している請求項１〜３のいずれかに記載のチップクランプ装置。
【請求項５】
前記第一押圧部材の上面および前記第二押圧部材の下面には、少なくとも押圧固定する際に互いに当接する当接面があり、該当接面は第二押圧部材の先端上方側から第一押圧部材の後端下方側に向かって傾斜している請求項１〜４のいずれかに記載のチップクランプ装置。
【請求項６】
前記第一押圧部材と第二押圧部材との間には弾性部材が配設されており、
前記スローアウェイチップの押圧固定時には、第二押圧部材の移動に伴って該第二押圧部材の下面に当接した前記弾性部材が下方に押圧されることで該弾性部材により第一押圧部材が下方に付勢され、該第一押圧部材がスローアウェイチップの上面を押圧する請求項１〜５のいずれかに記載のチップクランプ装置。
【請求項７】
前記スローアウェイチップの押圧固定時には、前記第二押圧部材の移動に伴って生じる前記弾性部材の付勢力により前記第一押圧部材がスローアウェイチップの上面を押圧して該スローアウェイチップを仮固定した後、
前記締付け部材を挿入口側にさらに移動させることで第二押圧部材の下面が第一押圧部材の上面に当接して押圧し、この押圧力により該第一押圧部材がスローアウェイチップの上面を押圧して該スローアウェイチップを本固定するように構成した請求項６記載のチップクランプ装置。
【請求項８】
請求項１〜７のいずれかに記載のチップクランプ装置にスローアウェイチップが押圧固定されたスローアウェイ式切削工具。
【発明の詳細な説明】
【技術分野】
【０００１】
本発明は、金属部品の切削加工に用いるスローアウェイチップのクランプ装置およびスローアウェイ式切削工具に関する。
【背景技術】
【０００２】
一般に、金属部品等の切削加工に用いるスローアウェイ式切削工具においては、ホルダに形成したチップ取付座にスローアウェイチップを載置し、このスローアウェイチップをチップ取付座の底面や側面に押圧し固定している。特に、断続切削や高送り切削のような高負荷の切削加工では、より強く固定する必要があるため、スローアウェイチップを取付座の底面と側面に同時に押圧固定する方式が採用されている。
【０００３】
例えば特許文献１には、上記のようなスローアウェイチップのクランプ装置として、押え金とＬ字型レバーを併用した構成が提案されている。かかる構成によれば、ねじの締付けによって押え金が押し下げられ、スローアウェイチップのすくい面に力が作用してチップを取付座の底面に押し付けると同時に、Ｌ字型レバーがてこの作用で回動してスローアウェイチップの穴の内側面に力が作用し、チップが取付座の側面に押圧される。
【０００４】
また、Ｌ字型レバーを用いない押え金だけによるクランプ装置としては、例えば特許文献２に開示されているような締付けねじの傾斜を利用する構成や、特許文献３に開示されているようなホルダの傾斜面を利用する構成などが知られている。これらのクランプ装置は、特許文献１に記載のクランプ装置と比較して部品数が少なく単純な構造であるため操作性に優れている。
【特許文献１】実開平２−５１００６号公報
【特許文献２】特公昭６２−２５５００４号公報
【特許文献３】特許第２８１２６７７号公報
【発明の開示】
【発明が解決しようとする課題】
【０００５】
しかしながら、特許文献１〜３に記載のクランプ装置では、その構造上、スローアウェイチップを上方から押圧する力と、チップ取付座の側面側へ押圧する力とを個別にコントロールすることは困難であり、ねじを締め付ける力がスローアウェイチップに対してチップ取付座の底面方向と側面方向に同時に作用する。このため、ホルダやスローアウェイチップの形状によってはクランプ力の作用する方向にもばらつきが生じて、刃先の位置精度が安定しないという問題が生じる。また、スローアウェイチップを上方から押圧する力とチップ取付座の側面方向へ押圧する力とのバランスが大きく崩れた場合、加工中にスローアウェイチップの位置ずれが生じて、ついには切刃の欠損に至るというおそれもある。
【０００６】
また、最近では、スローアウェイチップの刃先付近や上面に段差を設けたものが多用されるとともに、段差の大きさも各ブレーカ毎に異なる傾向がある。例えば、すくい面の高さが異なるチップを同じチップクランプ装置でクランプすると、チップによってクランプ力が変わってしまう。したがって、従来のクランプ装置では形状の異なるスローアウェイチップ毎に安定したクランプ性能を発揮させることは困難であった。
【０００７】
さらに、特許文献１〜３に記載されているようなチップの上面を押え金で押圧するタイプのチップクランプ装置では、切削により生じる切屑が押え金の側面とチップやホルダの上面との隙間に詰まったり、この隙間に詰まった切り屑が押え金に絡みついたりするという問題がある。特に、細かい切屑が生成する切削加工においては、切屑が隙間から押え金の内部に入り込むこともある。その結果、クランプ装置の操作性が損なわれ、チップの交換の度ごとにクランプ装置を分解清掃しなければならないという問題がある。
【０００８】
したがって、本発明は、上記課題を解決するためになされたものであり、安定した刃先位置精度およびクランプ性能が得られ、しかも切屑の詰まりなどにより操作性が損なわれることのないチップクランプ装置を提供することを目的とする。
【課題を解決するための手段】
【０００９】
上記課題を解決するための本発明のチップクランプ装置およびスローアウェイ式切削工具は、以下の構成からなる。
【００１０】
(1)  先端にチップ取付座を有するホルダと、前記チップ取付座に載置されたスローアウェイチップを押圧して固定するための押圧手段とを備えたチップクランプ装置において、前記押圧手段が、下面の一部で前記スローアウェイチップの上面を押圧する第一押圧部材と、前記スローアウェイチップの略中央に設けられた穴の内側面を前記チップ取付座の側面方向に押圧するための突出部を有し、前記第一押圧部材の上面を覆うように配設された第二押圧部材とを備え、前記第一押圧部材および第二押圧部材には上方から下方に向かって連通する貫通口が設けられ、該貫通口には棒状の締付け部材が挿入されるとともに、該締付け部材の先端側が前記ホルダに穿設された挿入口に、締付け部材の軸方向に移動可能な状態で固定されており、前記スローアウェイチップの押圧固定時に、前記締付け部材が第二押圧部材の少なくとも一部に当接しながら挿入口側に移動することで第二押圧部材における前記当接部分に押圧力が作用して第二押圧部材が移動し、前記突出部がスローアウェイチップの穴の内側面をチップ取付座の側面方向に押圧するように構成するとともに、前記第二押圧部材の移動に伴って該第二押圧部材の下面が第一押圧部材の上面を押圧することで該第一押圧部材がスローアウェイチップの上面を押圧するように構成し、さらに、前記スローアウェイチップが押圧固定された状態で前記第二押圧部材の側部と前記ホルダの上面及び／又は前記スローアウェイチップの上面との間に生じる隙間を塞ぐための閉塞手段を備えていることを特徴とするチップクランプ装置。
【００１１】
(2)  前記閉塞手段が、前記第二押圧部材の両側方に位置し、前記ホルダの上面から上方に延設された２つの側壁である(1)に記載のチップクランプ装置。
【００１２】
(3)  前記締付け部材が締付けねじであり、前記挿入口がねじ穴であり、該ねじ穴に前記締付けねじの先端側が螺合されており、前記第二押圧部材の貫通口の上部には、口径が第二押圧部材の上面に向かって広がるテーパー部が形成され、前記締付けねじの頭部には、該締付けねじの軸部上端から前記頭部の上面に向かって広がるテーパー部が形成されており、前記スローアウェイチップの押圧固定時には、前記締付けねじのテーパー部が前記第二押圧部材の貫通口のテーパー部に当接しながら前記締付けねじがねじ穴側に締付け移動することで、前記突出部がスローアウェイチップの穴の前記内側面をチップ取付座の側面方向に押圧する(1)または(2)に記載のチップクランプ装置。
【００１３】
(4)  前記第一押圧部材および第二押圧部材に設けられた前記貫通口は、第二押圧部材の先端上方側から第一押圧部材の後端下方側に向かって傾斜している(1)〜(3)のいずれかに記載のチップクランプ装置。
【００１４】
(5)  前記第一押圧部材の上面および前記第二押圧部材の下面には、少なくとも押圧固定する際に互いに当接する当接面があり、該当接面は第二押圧部材の先端上方側から第一押圧部材の後端下方側に向かって傾斜している(1)〜(4)のいずれかに記載のチップクランプ装置。
【００１５】
(6)  前記第一押圧部材と第二押圧部材との間には弾性部材が配設されており、前記スローアウェイチップの押圧固定時には、第二押圧部材の移動に伴って該第二押圧部材の下面に当接した前記弾性部材が下方に押圧されることで該弾性部材により第一押圧部材が下方に付勢され、該第一押圧部材がスローアウェイチップの上面を押圧する(1)〜(5)のいずれかに記載のチップクランプ装置。
【００１６】
(7)  前記スローアウェイチップの押圧固定時には、前記第二押圧部材の移動に伴って生じる前記弾性部材の付勢力により前記第一押圧部材がスローアウェイチップの上面を押圧して該スローアウェイチップを仮固定した後、前記締付け部材を挿入口側にさらに移動させることで第二押圧部材の下面が第一押圧部材の上面に当接して押圧し、この押圧力により該第一押圧部材がスローアウェイチップの上面を押圧して該スローアウェイチップを本固定するように構成した(6)に記載のチップクランプ装置。
【００１７】
(8)  前記(1)〜(7)のいずれかに記載のチップクランプ装置にスローアウェイチップが押圧固定されたスローアウェイ式切削工具。
【発明の効果】
【００１８】
本発明のチップクランプ装置は、前記第一押圧部材とこれを覆うように配設された前記第二押圧部材とを備え、これらの押圧部材を連通する貫通口に挿入された締付け部材の先端側がホルダの挿入口に軸方向に移動可能な状態で固定されており、スローアウェイチップの押圧固定時に、締付け部材が第二押圧部材の少なくとも一部に当接しながら挿入口側に移動することで該当接部分に押圧力が作用し第二押圧部材が移動して突出部がスローアウェイチップの穴の内側面をチップ取付座の側面方向に押圧するように構成するとともに、第二押圧部材の移動に伴って該第二押圧部材の下面が第一押圧部材の上面を押圧することで該第一押圧部材がスローアウェイチップの上面を押圧するように構成されている。すなわち、第二押圧部材がスローアウェイチップをチップ取付座の側面方向に押圧し、第一押圧部材がスローアウェイチップをチップ取付座の底面方向に押圧する。このようにチップ取付座の底面方向と側面方向への押圧を別々の押圧部材（第一押圧部材と第二押圧部材）が担うような構成としているので、第一押圧部材と第二押圧部材を個別にコントロールすることが可能になり、安定した刃先位置精度及びクランプ性能を得ることができる。
【００１９】
また、スローアウェイチップを前記チップ取付座に押圧固定した状態で第二押圧部材の側部とホルダの上面及び／又はスローアウェイチップの上面との間に生じる隙間を塞ぐための閉塞手段を備えているので、切削により生じる切屑が第二押圧部材の側部とチップやホルダの上面との隙間に詰まったり、この隙間に詰まった切り屑が押圧部材に絡みついたりするのを防止し、細かい切屑が生成する切削加工であっても切屑が隙間から押圧部材の内部に入り込むのを防止することができる。これにより、クランプ装置の操作性が損なわれるのを防止することができ、しかもクランプ装置の清掃頻度を低減することができる。
【発明を実施するための最良の形態】
【００２０】
以下、本発明の一実施形態にかかるチップクランプ装置およびスローアウェイ式切削工具について図面を参照し詳細に説明する。図１(a)は本実施形態にかかるチップクランプ装置にスローアウェイチップが押圧固定されたスローアウェイ式切削工具を示す平面図であり、図１(b)は(a)に示す切削工具の側面図であり、図１(c)は(a)に示す切削工具の正面図（ホルダ１の軸方向先端側から見た図）である。図２(a)は、本実施形態にかかるチップクランプ装置の構成を説明するために、該チップクランプ装置から押圧手段４を取り除いた状態を示す平面図であり、図２(b)は(a)の側面図である。図３は、図１(a)に示すスローアウェイ式切削工具の先端付近を一点鎖線Ｌを含む垂直平面で切り取った一部破断断面図である（一点鎖線Ｌはスローアウェイチップの穴の中心と締付けねじの頭部の中心を通る直線）。図４は、図１(a)に示す切削工具の先端付近を矢印Ａ方向から見た拡大図である。なお、説明の便宜上、図４中に側壁７，７は図示していない。
【００２１】
図１〜４に示すように、本実施形態のチップクランプ装置は、先端にチップ取付座２を有する棒状のホルダ１と、チップ取付座２の載置面（底面）５に載置された略四角形平板状のスローアウェイチップ３を押圧して固定するための押圧手段４を備えている。この押圧手段４は、下面の先端に設けられた押圧部１３でチップ３の上面（すくい面１４）を押圧する押え金（第一押圧部材）９と、この押え金９の上面および両側面を覆うように配設された押え金（第二押圧部材）１０とを備えている。
【００２２】
押え金９は、その後端側が係止ピン１５に嵌合され、係止ピン１５の軸方向に移動自在に固定されている。係止ピン１５は、その下方側がホルダ１に穿設された挿入口１ｂに挿入され固定されている。押え金１０は、先端側に下方に向かって延設された棒状の突出部１６を有している。この突出部１６は、チップ３の略中央に設けられた穴１７の内部に挿入されており、先端側の側面に、チップ３における穴１７の内側面１８をチップ取付座２の側面６方向に押圧する突起状の押圧部１６ａが形成されている。また、押え金１０は、その後端側の下面から上方に向かって形成された凹部１０ｅを有し、この凹部１０ｅが係止ピン１５の上部に摺動自在に嵌合して概略の位置決めがされている。すなわち、押え金１０は、押え金９の上に乗せられた状態でホルダ１の上面に接触せず浮き上がった構造となっている。
【００２３】
押え金９および押え金１０には上方から下方に向かって連通する貫通口９ａ，１０ａが設けられている。この貫通口９ａ，１０ａは、押え金１０の先端上方側から押え金９の後端下方側に向かって、すくい面１４に垂直な方向に対して角度βで傾斜している。この角度βは、チップ３の形状、押え金９，１０の形状等に応じて適宜設定すればよく、特に限定されるものではないが、５〜２０°程度であるのがよい。
【００２４】
貫通口９ａ，１０ａには棒状の締付けねじ１２が挿入されているとともに、該締付けねじ１２の先端側がホルダ１に穿設されたねじ穴１ａに螺合されている。押え金１０の貫通口１０ａの上部には、口径が押え金１０の上面に向かって広がるテーパー部１０ｄが形成されている。また、締付けねじ１２の頭部１２ａには、該締付けねじ１２の軸部１２ｂの上端から頭部１２ａの上面に向かって広がるテーパー部１２ｃが形成されている。貫通口９ａ，１０ａと締付けねじ１２の軸部１２ｂの側面との間には、必要に応じてクリアランスが設けられる。
【００２５】
押え金９の上面および押え金１０の下面には、少なくとも押圧固定する際に互いに当接する当接面９ｂ，１０ｂがあり、該当接面９ｂ，１０ｂは押え金１０の先端上方側から押え金９の後端下方側に向かって水平方向に対して角度αで傾斜している。この角度αは、チップ３の形状、押え金９，１０の形状等に応じて適宜設定すればよく、特に限定されるものではないが、１０〜３０°程度であるのがよい。
【００２６】
押え金９と押え金１０との間にはバネ（弾性部材）１１が配設されており、該バネ１１の下端側は押え金９の上面から下方に穿設されたバネ受け口９ｃに挿入され、上端側は押え金１０の下面に固定されている。
【００２７】
図４に示すように、チップ３が押圧固定された状態では、押え金１０の側面１０ｃの下端とホルダ１の上面（すくい面１４）との間に隙間Ｃ１が存在し、押え金１０の側面１０ｃの下端とチップ３の上面との間に隙間Ｃ２が存在している。この隙間Ｃ１，Ｃ２は、締付けねじ１２を軸方向に締め付ける際に、その移動に伴って押え金１０も前記軸方向に移動できるように押え金１０の側面１０ｃとホルダ１及びチップ３の上面との間に予め設けられたクリアランスである。このような隙間Ｃ１，Ｃ２が存在すると切削加工時に発生する切屑が隙間に詰まるなどの問題が生じる。
【００２８】
そこで、図１〜３に示すように、本実施形態にかかるクランプ装置には、隙間Ｃ１，Ｃ２を塞ぐための閉塞手段が設けられている。この閉塞手段は、押え金１０の両側方（２つの側面１０ｃ，１０ｃの側方）に位置し、ホルダ１の上面から上方に延設された２つの側壁７，７’からなる。このように互いに対向する側壁７，７’の間に押圧手段４が配置され、側壁７，７’により隙間Ｃ１，Ｃ２が塞がれているので、切削により生じる切屑が押え金９の側面とチップ３やホルダ１の上面との隙間Ｃ１，Ｃ２に詰まったり、この隙間Ｃ１，Ｃ２に詰まった切屑が押え金９，１０に絡みついたりするのを防止し、細かい切屑が生成する切削加工であっても切屑が隙間Ｃ１，Ｃ２から押え金１０の内部に入り込むのを防止することができる。側壁７，７’の内壁面８，８’と押え金１０の側面１０ｃとの隙間は、該隙間に切削加工時に生じる切屑が入り込まない程度の間隔に設定すればよい。
【００２９】
以下、本実施形態にかかるクランプ装置でチップ３を押圧固定する手順を説明する。まず、チップ３をチップ取付座２の載置面５に載置する。ついで、締付けねじ１２を締め込んでいくと、締付けねじ１２のテーパー部１２ｃが押え金１０のテーパー部１０ｄに当接しながらねじ穴の方向に移動するので、この当接部分に働く押圧力により押え金１０も締付けねじ１２の軸方向に移動する。このように押え金１０が締付けねじ１２の軸方向、すなわち鉛直方向に対して角度βで傾斜した方向に移動することにより、押え金１０における突出部１６の押圧部１６ａがチップ取付座２の側面６の方向に移動する。ここで、「チップ取付座２の側面６の方向」とは、チップ３をチップ取付座２の側面６，６に押しつける方向のことをいい、本実施形態のように菱形のチップ３を図１〜３に示すように配置する場合、チップ取付座２の２つの側面６，６が交わる後端面６ａの方向（押え金１０の後端側の方向）をいう。
【００３０】
一方、上記のように押え金１０が移動するのに伴って該押え金１０の下面に当接したバネ１１が下方に押圧され圧縮する。このバネ１１がある程度圧縮されると、バネ１１が押え金９を下方に付勢しはじめるので、押え金９がチップ３の上面を載置面５の方向に押圧する力が発生し、該押え金９の押圧部１３がチップ３の上面（すくい面１４）を押圧してチップ３を仮固定する。
【００３１】
この状態で、ねじ穴に締付けねじ１２をさらに締め込んでいくと、締付けねじ１２の移動に伴って押え金１０が締付けねじ１２の軸方向にさらに移動する。これにより、押え金１０の押圧部１６ａがチップ３の穴１７の内側面１８をチップ取付座２の側面６の方向に押圧し始める一方で、傾斜した押え金１０の下面が傾斜した押え金９の上面に当接し始める。
【００３２】
その後、締付けねじ１２をさらに締め込んでいくと、押え金１０の押圧部１６ａがチップ３の内側面１８をチップ取付座２の側面６方向にさらに大きな力で押圧するとともに、押え金１０の下面が傾斜方向に沿って後端側に位置ずれし、押え金９の押圧部１３がチップ３の上面をさらに大きな力で押圧してチップ３を本固定する。
【００３３】
上記のようにチップ３に対して押え金９からチップ取付座２の載置面５方向に作用する押圧力と、押え金１０からチップ取付座２の側面６方向に作用する押圧力とが、段階的に別々に発生するので、ホルダ１やチップ３の形状によってクランプ力の作用する方向にばらつきが生じることなく、チップ３の刃先位置精度を安定させることができる。また、チップのすくい面の形状によらず強固なクランプ力を得ることができる。さらに、上記のような構成であることにより、チップ３が位置ずれしないように仮固定しながら徐々に締付け固定することができるので、固定中にチップ３の位置がずれることなく強固なクランプ力で本固定することができる。
【００３４】
なお、チップ３を上方から押える力と拘束面へ引き込む力とのバランスを必要に応じて変化させたいときは、チップ３の形状を設計する際に当接面９ｂ、１０ｂの傾斜角αと締付けねじ１０の傾斜角βを適宜調整すればよい。また、弾性部材としてはバネを用いるのが望ましいが、バネの代わりにゴム材等の他の材質の弾性材料やスプリングプランジャ等の市販の弾性部品を用いてもよい。
【００３５】
＜他の実施形態＞
図５(a)は、本発明の他の実施形態にかかるチップクランプ装置にスローアウェイチップが押圧固定されたスローアウェイ式切削工具を示す平面図であり、図５(b)は(a)に示す切削工具の側面図であり、図５(c)は(a)に示す切削工具の正面図（ホルダ１’の軸方向先端側から見た図）である。
【００３６】
図５(a)〜(c)に示すように、他の実施形態にかかるクランプ装置には、上記した実施形態と同様に、押え金１０の側面の下端とチップ３’およびホルダ１’の上面との間に生じる隙間を塞ぐための閉塞手段が設けられている。この閉塞手段は、押え金１０の一方の側方のみに位置し、ホルダ１’の上面から上方に延設された側壁２１からなる。このように、側壁２１が押え金１０の両側部のうちの一方にのみ設けられている場合であっても、閉塞手段が設けられていない従来のクランプ装置と比較すると、切削により生じる切屑が前記隙間に詰まったり、この隙間に詰まった切屑が押え金に絡みついたりするのを抑制し、細かい切屑が生成する切削加工であっても切屑が隙間から押え金１０の内部に入り込むのを抑制することができる。他の部位については、図１(a)〜(c)と同じ符号を付して説明を省略する。
【００３７】
なお、上記実施形態では、閉塞手段としてホルダの上面から上方に延設した側壁を用いたが、本発明では第二押圧部材（押え金）の側部とホルダの上面及び／またはチップの上面との間に生じる隙間を塞ぐことができるものであれば、特に限定されない。他の閉塞手段として、例えば第二押圧部材の側面の下部に板バネを取り付けたり、ゴムなどの弾性材料を取り付けて隙間を塞ぐようにしてもよい。
【００３８】
さらに、上記実施形態では、チップの穴の内側面をチップ取付座の側面方向に押圧する手段として、傾斜した貫通口と該貫通口に挿入された締付けねじとを設け、この締付けねじの軸方向（鉛直方向に対して角度βの方向）に沿って第二押圧部材を下方に移動させることでチップを側面方向と底面方向に押圧する構成を例として挙げたが、本発明では、上記実施形態に限定されるものではなく、第二押圧部材を上記と同様に鉛直方向に対して角度βの方向に移動させることができる構成であればよい。
【００３９】
例えば、貫通口と該貫通口に挿入された締付けねじが鉛直方向に設けられている場合であっても、貫通口の上部に前述したようなテーパー部を設け、締付けねじの頭部に前述したようなテーパー部を設け、締付けねじと貫通口の間にある程度のクリアランスを設けておくことで上記実施形態と同様の動作をさせることができる。すなわち、締付けねじを締め付ける前は、貫通口のテーパー部および締付けねじのテーパー部のうち、第二押圧部材の後端側の部分のみを当接させ、かつ、貫通口の内側面および締付けねじの軸部の側面のうち、第二押圧部材の後端側の部分のみを当接させた状態に各部材を配設する。この状態から締付けねじを締め付けていくと、鉛直方向に締付けねじが下降するとともに、第二押圧部材の後端側のテーパー部同士が当接した状態で第二押圧部材が下降し、第二押圧部材の下面が第一押圧部材の上面に当接する。この状態からさらに第二押圧部材を締め込んでいくと、第二押圧部材は第一押圧部材と接触しているので下方には移動できないため、テーパー部の傾斜に沿って第二押圧部材が該第二押圧部材の後端側に移動する。これにより、第二押圧部材を上記と同様に鉛直方向に対して角度βの方向に移動させることができる。
【図面の簡単な説明】
【００４０】
【図１】(a)は本発明の一実施形態にかかるチップクランプ装置にスローアウェイチップが押圧固定されたスローアウェイ式切削工具を示す平面図であり、(b)は(a)に示す切削工具の側面図であり、(c)は(a)に示す切削工具の正面図である。
【図２】(a)は、図１のチップクランプ装置の構成を説明するために、該チップクランプ装置から押圧手段を取り除いた状態を示す平面図であり、(b)は(a)の側面図である。
【図３】図１(a)に示すスローアウェイ式切削工具の先端付近を一点鎖線Ｌを含む垂直平面で切り取った一部破断断面図である。
【図４】図１(a)に示す切削工具の先端付近を矢印Ａ方向から見た拡大図である。
【図５】(a)は本発明の他の実施形態にかかるチップクランプ装置にスローアウェイチップが押圧固定されたスローアウェイ式切削工具を示す平面図であり、(b)は(a)に示す切削工具の側面図であり、(c)は(a)に示す切削工具の正面図である。
【符号の説明】
【００４１】
１  ホルダ
２  チップ取付座
３  スローアウェイチップ
４  押圧手段
５  載置面
６  側面
７，７’  側壁
８，８’  内壁面
９  押え金（第一押圧部材）
９ａ  貫通口
９ｂ  当接面
９ｃ  バネ受け口
１０  押え金（第二押圧部材）
１０ａ  貫通口
１０ｂ  当接面
１０ｃ  側面
１０ｄ  テーパー部
１１  バネ（弾性部材）
１２  締付けねじ（締付け部材）
１２ａ  頭部
１２ｂ  軸部
１２ｃ  テーパー部
１３  押圧部
１４  すくい面
１５  係止ピン
１６  突出部
１６ａ  押圧部
１７  チップの穴
１８  穴の内側面
【図１】
2006192532.tif 000003
【図２】
2006192532.tif 000004
【図３】
2006192532.tif 000005
【図４】
2006192532.tif 000006
【図５】
2006192532.tif 000007